(57)【特許請求の範囲】
【請求項１】
ベース部材と、このベース部材に相対移動可能に支持されたボード支持部材とを備え、
前記ボード支持部材は前記ベース部材から起立してボードを立て掛け姿勢で支える第１の位置と、前記ベース部材に略沿う第２の位置との間を移動可能に設けられ、
前記ボード支持部材を前記第２の位置にしたときに、当該ボード支持部材と前記ベース部材との間にボードを差し込む空間を形成して当該ボードと共に運搬可能に設けられていることを特徴とするキャリア機能を備えたボードスタンド。
【請求項２】
前記ベース部材は板状体により形成され、当該ベース部材の面内に把持用穴が形成されていることを特徴とする請求項１記載のキャリア機能を備えたボードスタンド。
【請求項３】
前記ベース部材とボード支持部材との間には、当該ボード支持部材を第１及び第２の位置に規制するための位置規制部が設けられていることを特徴とする請求項１又は２記載のキャリア機能を備えたボードスタンド。
【請求項４】
前記ベース部材はボード支持部材を支持する一対の軸受部材を含む一方、前記ボード支持部材は、前記軸受部材に支持される一対の軸部と、この軸部間に延びるフレームとからなり、前記軸受部材には複数の溝が形成されるとともに、当該溝内に前記フレームの部分が位置することで前記ボード支持部材が第１及び第２の位置に保たれることを特徴とする請求項１，２又は３記載のキャリア機能を備えたボードスタンド。
【発明の詳細な説明】
【０００１】
【発明の属する技術分野】
本発明はキャリア機能を備えたボードスタンドに係り、更に詳しくは、プロジエクタのスクリーンやホワイトボード等のボードを立て掛けることができる一方、当該ボードを一体的に保持した状態で容易に運搬するキャリア機能を備えたボードスタンドに関する。
【０００２】
【従来の技術】
従来より、プロジェクタのスクリーン或いはホワイトボード等のボードは、それ自体に自立構造が採用されていない場合、すなわち、単なる平板状の場合には、所定の支持体を用いることによって立て掛け姿勢に保持することが行われている。この支持体としては、床面に起立可能となる脚部と、この脚部に設けられてボードの下端側を支える保持部とを備えて構成されている。
【０００３】
【発明が解決しようとする課題】
しかしながら、従来の支持体は、ボードと共に運搬する必要があるときに、当該ボードと別々に運搬しなければならず、ボードの平面積が大きい場合や、支持体自体が大きい場合には、これらを単独で同時に運搬することが困難になるという不都合がある。
【０００４】
【発明の目的】
本発明は、このような不都合に着目して案出されたものであり、その目的は、ボードを一体化させた状態で当該ボードと共に極めて容易に運搬することのできるキャリア機能を備えたボードスタンドを提供することにある。
【０００５】
【課題を解決するための手段】
前記目的を達成するため、本発明に係るキャリア機能を備えたボードスタンドは、ベース部材と、このベース部材に相対移動可能に支持されたボード支持部材とを備え、
前記ボード支持部材は前記ベース部材から起立してボードを立て掛け姿勢で支える第１の位置と、前記ベース部材に略沿う第２の位置との間を移動可能に設けられ、
前記ボード支持部材を前記第２の位置にしたときに、当該ボード支持部材と前記ベース部材との間にボードを差し込む空間を形成して当該ボードと共に運搬可能に設けられる、という構成を採っている。このように構成すれば、従来のように別々にすることなくボードスタンドとボードとを一体化した状態で持ち運ぶことができる。
【０００６】
【発明の実施の形態】
本発明において、前記ベース部材は板状体により形成され、当該ベース部材の面内に把持用穴が形成される、という構成を採ることが好ましい。このような構成とすれば、把持用穴を手で掴むだけで、ボードスタンドを保持できるようになり、楽な姿勢でボードと共に運搬することができる。
【０００７】
また、前記ベース部材とボード支持部材との間には、当該ボード支持部材を第１及び第２の位置に規制するための位置規制部が設けられる、という構成を採るとよい。これにより、運搬している間に、ボードを差し込んでいる空間が意図することなく拡がることもなく、ボードが不用意に落下してしまうことも防止することができる。
【０００８】
更に、前記ベース部材はボード支持部材を支持する一対の軸受部材を含む一方、前記ボード支持部材は、前記軸受部材に支持される一対の軸部と、この軸部間に延びるフレームとからなり、前記軸受部材には複数の溝が形成されるとともに、当該溝内に前記フレームの部分が位置することで前記ボード支持部材が第１及び第２の位置に保たれる、という構成を採っている。これによれば、軸受構造を利用して位置規制部を構成することができるようになり、構造の簡易化を図ることができる。
【０００９】
【実施例】
以下、本発明の実施例を図面を参照しながら説明する。
【００１０】
図１には、本実施例に係るボードスタンドの使用時における概略斜視図が示され、図２には、その分解斜視図が示されている。これらの図において、ボードスタンド１０は、ベース部材１１と、このベース部材１１に相対回転可能に支持されたボード支持部材１２とを備えて構成されている。
【００１１】
ベース部材１１は板状体１５と、この板状体１５の一端側において相互に所定間隔を隔てた位置に設けられた一対の軸受部材１６，１６と、これら軸受部材１６，１６を略同一軸線上で一体化する筒状連結体１７とにより構成されている。板状体１５は平面視略方形に設けられ、図３に示されるように、板状体１５の一端側すなわち軸受部材１６側に、板状体１５の面に対して屈曲した湾曲連結面１９を一体に備えた形状とされている。この湾曲連結面１９には、複数の穴２０（図２参照）が形成されており、これらの穴２０にねじ２１を挿入して筒状連結体１７にねじ込み固定可能となっている。なお、ねじに代えて直接溶接してもよい。また、板状体１５の他端側の略中央部には、ボードＢを持ち運ぶ際に利用することのできる略方形の把持用穴２３が形成されている。
【００１２】
前記軸受部材１６は、図３及び図４に示されるように、略円盤状の本体部２５と、この本体部２５の一端側に設けられて当該本体部２５の直径よりも小径に設けられて前記筒状連結体１７の端部に嵌合する連結軸部２６とを備えた形状に設けられている。本体部２５と連結軸部２６の中心軸線上には貫通穴２７が形成されており、この貫通穴２７を相対移動時の回転中心として前記ボード支持部材１２が支持されるようになっている。本体部２５における外面側、すなわち、前記連結軸部２６が設けられた面とは反対側には、ボード支持部材１２を第１及び第２の位置に保つ位置規制部としての第１及び第２の溝３０，３１が形成されている。これら第１及び第２の溝３０，３１は、本体部２５の外周端から中心に向かってそれぞれ直線的に延びるとともに、それらの延出方向が同一平面内において略９０度の角度をもって交差する方向に設けられ、当該交差領域内に前記貫通穴２７が位置するようになっている。
【００１３】
前記ボード支持部材１２は、図２及び図５に示されるように、前記軸受部材１６の貫通穴２７に挿入されて略同一軸線上に位置する一対の軸部３４，３４と、これら軸部３４，３４間に延びるフレームＦとにより構成されている。フレームＦは、前記軸部３４，３４の軸線方向と略直交する一対の基部軸３５，３５と、この基部軸３５，３５に連なって前記軸部３４，３４とそれぞれ相互に略平行に設けられるとともに、前記第１及び第２の溝３０，３１内に選択的に位置する一対の内向屈曲軸３７，３７と、当該内向屈曲軸３７，３７の内方端に連なって前記基部軸３５と略平行に延びる延長基部軸３９，３９と、これら延長基部軸軸３９，３９間の軸線に対して略直交する面内に位置するとともに当該延長基部軸３９，３９間を連結するコ字状軸４０とにより構成されている。ここで、ボード支持部材１２は、前記基部軸３４部分が第１の溝３０内に位置してボード支持部材１２がベース部材１１から起立する第１の位置にあるときに、前記内向屈曲軸３７及び延長基部軸３９が板状体１５の面に乗って後方に倒れ込まないようになっている。この一方、基部軸３４が第２の溝内に位置する第２の位置にあるときに、基部軸３５及び延長基部軸３９の長さに応じた空間Ｓ（図６参照）を隔てた状態でフレームＦのコ字状軸４０が板状体１５の面に略沿う方向に向けられるようになっている。
【００１４】
次に、本実施例に係るボードスタンドの組み立て方法と、使用方法について説明する。
【００１５】
ベース部材１１を組み立てる場合には、図２及び図３に示されるように、板状体１５の一端側に設けられた湾曲連結面１９を筒状連結体１７の外周部分にねじ２１で固定する。この際、板状体１５が第１の溝３０の延出方向に略沿うように予めねじ２１のねじ穴が筒状連結体１７に形成されている。
【００１６】
次いで、前記フレームＦにおけるコ字状軸４０の開放幅を強制的に拡げるようにし、軸部３４，３４を軸受部材１６の各貫通穴２７，２７に合わせる。そして、強制的な拡開力を解除して軸部３４，３４を各貫通穴２７，２７に挿入することにより、ボード支持部材１２がベース部材１１に相対移動可能に支持されてボードスタンド１０が構成される。
【００１７】
ボードスタンド１０を利用してボードＢを立て掛ける場合には、基部軸３５，３５部分を第１の溝３０，３０内に位置させることによって行われる。すなわち、ベース部材１１がテーブルＴ（図５及び図６参照）の天板４５上に乗せられた状態で、ボード支持部材１２は前記コ字状軸４０がベース部材１１から起立した位置をとるようになり、これにより、ボードＢの下端がベース部材１１に乗って、当該ボードＢの背面側がフレームＦによって支えられることとなる。
【００１８】
この一方、ボードスタンド１０を使用しない場合には、基部軸３５，３５が第２の溝３１内に位置するようにボード支持体１２を回転移動させればよい。この状態では、ボード支持部材１２のコ字状軸４０が板状体１５の下面側において、当該板状体１５に沿って延びる姿勢となる。この際、コ字状軸４０は、前述した基部軸３５と後退軸３９の長さに対応して軸部３４から離れて板状部１５との間に空間Ｓを形成するため、図６に示されるように、空間Ｓ内にテーブルＴの天板４５が位置するように差し込むことで、ボードスタンド１０を天板４５の外周側領域に退避させた位置で引っ掛ることができる。
【００１９】
また、ボードＢとボードスタンド１０を別の場所に持ち運ぶ必要があるときは、図７に示されるように、ボード支持部材１２を第２の位置に設定した状態で板状体１５を鉛直向きとし、ボード支持部材１２と板状体１５との間にボードＢを配置することで、ボードＢが基部軸３５，３５に乗った状態となる。従って、この状態で、板状部１５の把持用穴２３を把持することで、ボードＢとボードスタンド１０とを一体化させて容易に運搬することができる。
【００２０】
従って、このような実施例によれば、テーブルＴの天板４５を利用してボードスタンド１０を待機させておくことができ、ボードスタンド１０が邪魔な存在となることなくテーブルＴに関連付けて使用に備える状態に保持することが可能となる。
【００２１】
なお、前記実施例では、ベース部材１１の板状体１５に把持用穴２３を設ける場合を図示、説明したが、本発明はこれに限定されるものではない。例えば、板状体１５に代えて、枠状のフレームを用いてもよい。この場合には、フレームの一部を把持部とし、当該把持部を掴んでボードＢを運搬することが可能となる。
【００２２】
【発明の効果】
以上説明したように、本発明によれば、ボード支持部材を第２の位置にしたときに、当該ボード支持部材とベース部材との間にボードを差し込む空間を形成可能としたから、ボードスタンドとボードとを一体化した状態で運搬することが可能となる。
【００２３】
また、ベース部材を板状体により形成するとともに、当該ベース部材の面内に把持用穴を形成したから、ボードスタンドを手に持つ場合の領域が特定されるようになり、把持用穴を手で掴むだけで、負担を伴うことなくボードスタンドとボードを一体として運搬することができる。
【００２４】
また、前記ベース部材とボード支持部材との間に位置規制部を設けた構成では、運搬している間に、ボードを差し込んでいる空間が意図することなく拡がることもなく、ボードが不用意に落下してしまう虞も防止することができる。
【００２５】
更に、ボード支持部材は、ベース部材の軸受部材に支持される軸部とこれに連なるフレームを含んで構成され、前記軸受部材に形成された複数の溝内にフレームの部分が位置してボード支持部材が第１及び第２の位置に保たれる構成としたから、軸受構造を利用して位置規制部を構成することができるようになり、構造の簡易化を図ることができる。
【図面の簡単な説明】
【図１】ボード支持部材が第１の位置をとる状態を示すボードスタンドの概略斜視図。
【図２】図１の分解斜視図。
【図３】軸受部材の側面図。
【図４】軸受部材の一端側概略斜視図。
【図５】ボードを支持した使用状態を示すボードスタンドの概略斜視図。
【図６】ボードをテーブルの天板に支持させた第２の位置をとる概略斜視図。
【図７】ボードをボードスタンドと共に運搬する状態を示す概略斜視図。
【符号の説明】
１０  ボードスタンド
１１  ベース部材
１２  ボード支持部材
１５  板状体
１６  軸受部材
２３  把持用穴
３０  第１の溝（位置規制部）
３１  第２の溝（位置規制部）
３４  軸部
Ｆ  フレーム
Ｓ  空間
【図１】
0004779275.tif 000002
【図２】
0004779275.tif 000003
【図３】
0004779275.tif 000004
【図４】
0004779275.tif 000005
【図５】
0004779275.tif 000006
【図６】
0004779275.tif 000007
【図７】
0004779275.tif 000008